(57)【特許請求の範囲】
【請求項１】
載置台から立設された脚部の上部で画像表示部が支持され、
前記載置台は前記脚部を鉛直軸の周りに回転可能に支持するベース部材を備える画像表示装置であって、
前記脚部の下面は、前記鉛直軸を中心とした半径で環状に形成された下向きの環状面と、前記下向きの環状面の内側に形成された取り付け面とを含んで構成され、
前記ベース部材に、前記下向きの環状面に対応した大きさの支持壁が設けられ、
前記支持壁に、前記取り付け面に対応した大きさの貫通孔が設けられ、
前記下向きの環状面が前記支持壁の上面に載置されることで画像表示部の重量を前記ベース部材で受け、
前記取り付け面に取着された座金部材の外周部が前記支持壁の下面に臨み、
前記座金部材の外周部と前記支持壁の下面の間で前記貫通孔の周方向に間隔をおいた複数箇所に前記座金部材の外周部と前記支持壁の下面とを離す方向に付勢し前記画像表示部の回転時にトルクを発生するばねがそれぞれ設けられている、
ことを特徴とする画像表示装置。
【請求項２】
前記座金部材は板金製で前記取り付け面に取着される取り付け板部と前記取り付け板部の外周に設けられた環板部とを備え、前記環板部の周方向に間隔をおいた複数個所に、前記環板部の上方に変位した箇所で前記環板部の周方向に延在しその延在方向の両端が前記環板部に接続するばね片が設けられ、前記外周部は前記環板部で構成され、前記ばねは前記ばね片で構成されていることを特徴とする請求項１記載の画像表示装置。
【請求項３】
前記座金部材は板金製で前記取り付け面に取着される取り付け板部と、前記取り付け板部の外周に設けられ前記取り付け板部の下方に位置する環板部とを備え、前記環板部の周方向に間隔をおいた複数個所に、前記環板部の周方向に延在しその延在方向の中間部が前記支持壁の下面に弾接しその延在方向の両端が前記環板部に接続するばね片が設けられ、前記外周部は前記環板部で構成され、前記ばねは前記ばね片で構成されていることを特徴とする請求項１記載の画像表示装置。
【請求項４】
前記下向きの環状面と前記支持壁の上面との間に、摩擦係数の小さい材料からなる上側薄板が介設され、前記座金部材の外周部と前記支持壁の下面との間に、摩擦係数の小さい材料からなる下側薄板が介設されていることを特徴とする請求項１記載の画像表示装置。
【請求項５】
前記脚部の下端に小径円板部とその外周に設けられた大径環板部とが設けられ、前記下向きの環状面は前記小径円板部の外周部の下面で構成され、前記取り付け面は前記小径円板部の中央部の下面で構成され、前記ベース部材に、前記大径環板部の外周に係合し前記大径環板部の周方向に沿った移動を許容すると共に前記大径環板部の上下方向の移動を阻止する係止爪が設けられていることを特徴とする請求項１記載の画像表示装置。
【請求項６】
前記ベース部材は板金製で、前記係止爪は、前記ベース部材の前部と後部に設けられ、前記ベース部材の後部に設けられた係止爪は前記ベース部材と一体に設けられ、前記ベース部材の前部に設けられた係止爪は、合成樹脂製で前記ベース部材に着脱可能に設けられていることを特徴とする請求項５記載の画像表示装置。
【請求項７】
前記載置台は前後長さおよび左右幅を有するカバーを有し、前記ベース部材は前記カバーで覆われる本体壁を有し、前記支持壁は前記本体壁に設けられ、前記支持壁は前記本体壁に対して上方に変位した箇所に位置していることを特徴とする請求項１記載の画像表示装置。
【請求項８】
前記載置台は前後長さおよび左右幅を有するカバーを有し、前記ベース部材は前記カバーで覆われる本体壁を有し、前記支持壁は前記本体壁に設けられ、前記支持壁は前記本体壁に対して上方に変位した箇所に位置し、前記支持壁の下方に、前記本体壁の下面を通る仮想面よりも上方に窪み下方に開放状の凹部が形成され、前記座金部材は前記凹部に収容され前記仮想面よりも上方に位置していることを特徴とする請求項１記載の画像表示装置。
【発明の詳細な説明】
【技術分野】
【０００１】
本発明は画像表示装置に関する。
【背景技術】
【０００２】
液晶ディスプレイなどを用いた画像表示部を有する画像表示装置がある。
このような画像表示装置として、画像表示部の下面中央から下方に延在する脚部と、その脚部を鉛直軸の周りに回転可能に支持するベースとを備え、画像表示部を鉛直軸周りに回転させることができるようにしたものが提案されている（特許文献１参照）。
このような画像表示装置では、多くの場合、脚部に設けられた摺動部と、ベースに設けられた摺動部とを互いに摺動させることで、画像表示部を鉛直軸の周りに回転させる際のトルクを発生させており、このようなトルクによって画像表示部の回転操作を安定して行えるようにしている。
【特許文献１】特開２００４−１１２２３４号公報
【発明の開示】
【発明が解決しようとする課題】
【０００３】
しかしながら、前記従来技術では、摺動部同士が接触する際の摩擦抵抗のばらつきが大きいため、前記トルクを安定して得ることが難しいというる不都合があった。
また、前記摺動部同士を接触させた状態で保持する機構が複雑となりがちであり、また、前記摩擦抵抗のばらつきを抑制するために前記摺動部の箇所にグリースを塗布しなければならない構成もあり、組立作業が繁雑となり製造コストを削減する上で不利があった。
本発明は、このような事情に鑑みなされたもので、その目的は安定したトルクを発生させるとともにコストダウンを図る上で有利な画像表示装置を提供することにある。
【課題を解決するための手段】
【０００４】
上記目的を達成するために、本発明は、載置台から立設された脚部の上部で画像表示部が支持され、前記載置台は前記脚部を鉛直軸の周りに回転可能に支持するベース部材を備える画像表示装置であって、前記脚部の下面は、前記鉛直軸を中心とした半径で環状に形成された下向きの環状面と、前記下向きの環状面の内側に形成された取り付け面とを含んで構成され、前記ベース部材に、前記下向きの環状面に対応した大きさの支持壁が設けられ、前記支持壁に、前記取り付け面に対応した大きさの貫通孔が設けられ、前記下向きの環状面が前記支持壁の上面に載置されることで画像表示部の重量を前記ベース部材で受け、前記取り付け面に取着された座金部材の外周部が前記支持壁の下面に臨み、前記座金部材の外周部と前記支持壁の下面の間で前記貫通孔の周方向に間隔をおいた複数箇所に前記座金部材の外周部と前記支持壁の下面とを離す方向に付勢し前記画像表示部の回転時にトルクを発生するばねがそれぞれ設けられていることを特徴とする。
【発明の効果】
【０００５】
本発明によれば、座金部材の外周部と支持壁の下面との間に設けられたばねが常時弾性変形し、画像表示部の回転時にトルクを発生する。
したがって、ベース部材の支持壁の厚さにばらつきがあった場合であっても、その厚さのばらつきをばねの弾性変形で吸収でき、簡単な構成により安定したトルクを発生させることができ、コストダウンを図る上で有利となる。
【発明を実施するための最良の形態】
【０００６】
（第１の実施の形態）
以下、本発明による画像表示装置の実施の形態を図面に基づいて詳細に説明する。
図１は第１の実施の形態における画像表示装置１００の斜視図、図２は第１の実施の形態における画像表示装置１００の脚部および載置台を示す斜視図、図３は第１の実施の形態における脚部２０および載置台３０の構成を示す分解斜視図、図４は脚部２０および載置台３０の断面図、図５、図６は脚部２０の斜視図である。
【０００７】
本実施の形態では、画像表示装置１００は、液晶パネルを用いたテレビジョン装置である。
図１に示すように、画像表示装置１００は、画像表示部１０と、画像表示部１０の下面中央から下方に延在する脚部２０と、脚部２０を鉛直軸の周りに回転可能に支持する載置台３０とを備えている。
【０００８】
画像表示部１０は、液晶パネル１２と、液晶パネル１２を保持するフロントカバー１４と、バックカバー１６などを備えている。
【０００９】
図２に示すように、脚部２０の上部には上部材２２が連結され、上部材２２は、左右に延在する横部２２０２と、横部２２０２の両端から上方に突出する縦部２２０４とを備え、これら横部２２０２と縦部２２０４を介して脚部２０は画像表示部１０に連結される。
脚部２０は、カバー２８で覆われ、図３、図４、図５に示すように、脚部２０は、画像表示部１０の前後厚さに対応した前後厚さと、前記前後厚さよりも大きな寸法の幅とを有している。
図５に示すように、脚部２０の上端で幅方向の両端には、上部２２の横部２２０２にねじ２２１０（図３参照）で取着されるためのねじ孔２０１２が形成されている。
脚部２０の下端には、脚部２０の前後厚さ方向および幅方向の中心を半径とした小径円板部２５と、その外周に設けられた大径環板部２６が設けられている。
図４、図６に示すように、小径円板部２５の外周部の下面で鉛直軸を中心とした半径の下向きの環状面２６０４が形成され、小径円板部２５の中央部の下面で下向きの取り付け面２６０２が形成されている。
大径環板部２６は小径円板部２５よりも下方に変位した箇所に形成され、小径円板部２５の下面に下方に開放状で上方に窪む凹部２６０５が設けられている。
取り付け面２６０２は、平坦面で形成され、その中央に３つのボス部２６０６が膨出形成され、ボス部２６０６にはねじ孔２６０８が形成され、また、取り付け面２６０２には２つの位置決めピン２６１０が突設されている。
本実施の形態では、脚部２０、小径円板部２５、大径環板部２６はダイカストで形成された金属材料で一体的に構成されている。
【００１０】
図３、図４に示すように、カバー２８は、断面が矩形枠状を呈し脚部２０を覆う矩形枠部２８０２と、矩形枠部２８０２の下端に設けられ小径円板部２５と大径環板部２６を覆う円板部２８０４とを備えている。
カバー２８は、円板部２８０４がねじ２８０６により環状面２６０４に締め付けられることで脚部２０と一体に回転するように配設されている。
本実施の形態では、カバー２８は合成樹脂で形成されている。
【００１１】
図３に示すように、載置台３０は、板金製のベース部材３２と、ベース部材３２を覆う合成樹脂製のカバー３４とを備えている。
図７、図８はベース部材３２の斜視図である。
図７、図８に示すように、ベース部材３２は前後長さおよび左右幅を有する本体壁３２０１を有し、本体壁３２０１の中央には、小径円板部２５に対応した大きさの円形の支持壁３２０２が設けられている。
支持壁３２０２は本体壁３２０１よりも上位に変位した箇所に設けられ、支持壁３２０２の中央には、取り付け面２６０２の中央に対応した大きさの円形の貫通孔３２０４が設けられている。
そして、図４に示すように、小径円板部２５の環状面２６０４が支持壁３２０２の上面に載置されることで画像表示部１０の重量がベース部材３２で受けられるように構成されている。
なお、支持壁３２０２は本体壁３２０１の上方に設けられていることから、図８に示すように、支持壁３２０２の下方に本体壁３２０１の下面を通る仮想面よりも上方に窪み下方に開放状の凹部３２０３が形成されることになる。
本実施の形態では、図３、図４に示すように、取り付け面２６０２および環状面２６０４と、支持壁３２０２の上面との間に円形の薄板３６が介設されている。
薄板３６は、摩擦係数の小さい材料から形成され、このような材料として例えばＰＯＭ（ポリアセタール）やナイロン、フッ素系合成樹脂を採用可能である。
図９、図１０は薄板３６の斜視図である。
詳細に説明すると、図９、図１０に示すように、薄板３６は、貫通孔３２０４に挿通されることでベース部材３２に対して回転可能に支持される円筒部３６０２と、円筒部３６０２の上端に接続され円筒部３６０２の外径よりも大きな直径を有する円筒部３６０２の中心軸を中心とした円形の円板部３６０４とを備えている。
円筒部３６０２の内側の円板部３６０４箇所には、３つのねじ孔２６０８に対応するねじ挿通孔３６０６と、２つの位置決めピン２６１０が挿通される２つの位置決め孔３６０８とが設けられている。
図３、図４に示すように、薄板３６は、円筒部３６０２が貫通孔３２０４に挿通され、円板部３６０４が貫通孔３２０４の周囲の支持壁３２０２の上面に載置されることで貫通孔３２０４の中心を中心として回転されるように位置決めされ配置される。
【００１２】
そして、図３、図４に示すように、脚部２０の下端に座金部材４０が取着され、座金部材４０の外周部は支持壁３２０２の下面に臨んでいる。
図１２、図１３は座金部材４０の斜視図である。
図１２、図１３に示すように、座金部材４０は、板金製で取り付け面２６０２に取着される取り付け板部４００２と取り付け板部４００２の外周に設けられた環板部４００４とを備えている。本実施の形態では、薄板３６を用いているので、座金部材４０は、薄板３６の円板部３６０４が介在した状態で取り付け面２６０２に取着される。
取り付け板部４００２には、３つのねじ孔２６０８に対応するねじ挿通孔４００６と、２つの位置決めピン２６１０が挿通される２つの位置決め孔４００８とが設けられている。
環板部４００４の周方向に間隔をおいた複数個所に、第１のばね片４２と第２のばね片４４とが交互に設けられている。
本実施の形態では、座金部材４０として硬度が１／２Ｈのステンレスが用いられているが、例えば、銅あるいはりん青銅などを採用可能である。
【００１３】
第１のばね片４２は、取り付け板部４００２の中心を半径とした円周上を延在するスリット４０１０の外側に設けられ、環板部４００４の上方に変位した箇所で環板部４００４の周方向に延在する中央部４２０２と、中央部４２０２の両端から延在しそれらの先端が環板部４００４に接続する側部４２０４とを有している。
【００１４】
第２のばね片４４は、取り付け板部４００２の中心を半径とした円周上を延在するスリット４０１２の外側に設けられ、環板部４００４の上方に変位した箇所で環板部４００４の周方向に延在する中央部４４０２と、中央部４４０２の両端から延在しそれらの先端が環板部４００４に接続する側部４４０４とを有している。
第２のばね片４４の中央部４４０２よりも第１のばね片４２の中央部４２０２は取り付け板部４００２寄りに変位した箇所に、すなわち上方に変位した箇所に設けられている。
【００１５】
座金部材４０は、脚部２０の取り付け面２６０２の２つの位置決めピン２６１０が薄板３６に設けられた２つの位置決め孔３６０８を介して位置決め孔４００８に挿通されることで脚部２０に対して位置決めされる。
そして、その状態で、座金部材４０は、取り付け板部４００２に設けられた３つのねじ挿通孔４００６と、薄板３６に設けられた３つのねじ挿通孔３６０６とに挿通したねじ４００８を脚部２０の取り付け面２６０２の下面のねじ孔２６０８にそれぞれ螺合することで配設され、これにより環板部４００４の上面は支持壁３２０２の下面の下方に臨む。
本実施の形態では、環板部４００４の上面と支持壁３２０２の下面との間に環板状の薄板３８が介設されている。
薄板３８は、摩擦係数の小さい材料から形成され、このような材料として例えばＰＯＭ（ポリアセタール）やナイロン、フッ素系合成樹脂を採用可能である。
図１１に示すように、薄板３８の中心孔３８０２は、薄板３６の円筒部３６０２の外周面が嵌合される寸法の内径で形成されている。
そして、図３、図４に示すように、座金部材４０が取り付け面２６０２に薄板３６を介して取り付けられることで、座金部材４０は脚部２４および薄板３６とともに貫通孔３２０４の中心を中心として回転可能に支持され、かつ、座金部材４０は第１のばね片４２の中央部４２０２が薄板３８を介して支持壁３２０２の下面に弾接して座金部材４０の環板部４００４と支持壁３２０２の下面とを離す方向に付勢し画像表示部１０の回転時にトルクを発生するように構成されている。
なお、図４に示すように、凹部３２０３内に座金部材４０およびねじ４００８の頭部が収容され、それら座金部材４０およびねじ４００８の頭部は本体壁３２０１の下面を通る仮想面よりも上方に位置している。
【００１６】
図７に示すように、ベース部材３２の後部で貫通孔３２０４の周囲に位置する２箇所に、大径環板部２６の外周部に係合する爪部４６がベース部材３２に一体に設けられている。爪部４６は、大径環板部２６の外周部の周方向に沿った移動を許容するとともに、上下方向の移動を阻止し、画像表示部１０および脚部２０の前方への倒れを阻止するように構成されている。
図７に示すように、ベース部材３２の前部で貫通孔３２０４の周囲に位置する３箇所に形成された係合溝３２１０に、図４に示すように、大径環板部２６の外周部に係合する合成樹脂製の爪部材４８が取着されている。爪部材４８は、大径環板部２６の外周部の周方向に沿った移動を許容するとともに、上下方向の移動を阻止し、画像表示部１０および脚部２０の主として左右方向への倒れを阻止するように構成されている。
また、この爪部材４８は爪部４６と協働して、脚部２０と薄板３６をベース部材３２に仮止めすることができるので、薄板３８と座金部材４０をねじ４００８でベース部材３２を挟み込んで脚部２０に固定する際の作業を行ない易くしている。
【００１７】
本実施の形態によれば、座金部材４０の第１のばね片４２がベース部材３２の支持壁３２０２の下面に常時弾接し（本実施の形態では薄板３８を介してベース部材３２の支持壁３２０２の下面に常時弾接し）、すなわち、第１のばね片４２が弾性変形した状態で配設され、画像表示部１０の回転時に所定のトルクを発生する。
したがって、ベース部材３２の支持壁３２０２の厚さにばらつきがあった場合であっても、その厚さのばらつきを第１のばね片４２の弾性変形で吸収でき、第１のばね片４２を設けるといった簡単な構成により所定の安定したトルクを発生させることができ、コストダウンを図る上で有利となる。
また、本実施の形態では、第１のばね片４２を座金部材４０に一体に形成したので、部品点数の増加を抑制できコストダウンを図る上で有利となる。
また、本実施の形態では、第１のばね片４２に加え、第２のばね片４４を設けたので、画像表示部１０に外力が作用して脚部２０が大きく傾き、第１のばね片４２が大きく撓んだ場合には、第２のばね片４４がベース部材３２の支持壁３２０２の下面に弾接することになる。
その場合には、第１のばね片４２による弾性力に加えて、第２のばね片４４による弾性力が取り付け面２６０２の下面に作用するため、脚部２０の傾きを抑止でき、外力が加わった際に画像表示部１０が大きく傾くことを防止する上で有利となる。
【００１８】
また、本実施の形態では、薄板３６を設けたので、脚部２０の環状面２６０４とベース部材３２の支持壁３２０２の上面が直接摺動する場合に比べて発生する摩擦抵抗を軽減できるとともに、薄板３８を設けたので、第１のばね片４２と支持壁３２０２の下面とが直接摺動する場合に比べて発生する摩擦抵抗を軽減でき、したがって、発生するトルクの安定性を確保する上でより有利となる。
また、本実施の形態では、支持壁３２０２の下方に凹部３２０３を設け、この凹部３２０３に座金部材４０および座金部材４０を脚部２０に取り付けるためのねじ４００８の頭部を収容するように構成したので、座金部材４０やねじ４００８の頭部が下方に突出することがなく、載置台３０の高さを削減する上で有利となる。
【００１９】
また、本実施の形態では、第１のばね片４２と第２のばね片４４を設けた場合について説明したが、第２のばね片４４を省略してもよい。しかしながら、本実施の形態のように第１のばね片４２と第２のばね片４４を設けると、外力が加わった際に画像表示部１０が傾くことを防止する上で有利となる。
また、本実施の形態では、座金部材４０に第１のばね片４２、第２のばね片４４を一体的に設けた場合について説明したが、例えば、ベース部材３２の支持壁３２０２の下面に第１のばね片４２、第２のばね片４４を一体的に設けてもよいし、あるいは、第１のばね片４２、第２のばね片４４を薄板３８に組み込んでもよい。
【００２０】
また、本実施の形態では、脚部２０の環状面２６０４と支持壁３２０２の上面との間に薄板３６を介在させ、また、座金部材４０の環板部４００４の上面とベース部材３２の支持壁３２０２の下面との間に薄板３８を介在させた場合について説明したが、これら薄板３６，３８を省略してもよいが、本実施の形態のように、薄板３６，３８を介在させると、トルクの安定性を図る上でより有利となる。
また、薄板３６，３８に代えて、脚部２０の環状面２６０４と支持壁３２０２の上面の何れか一方または双方に、摩擦係数が少ない材料をコーティングなどにより一体的に設けてもよいし、座金部材４０の環板部４００４の上面とベース部材３２の支持壁３２０２の下面の何れか一方または双方に、摩擦係数が少ない材料をコーティングなどにより一体的に設けてもよく、その場合にも本実施の形態と同様に、トルクの安定性を図る上でより有利となることは無論である。
【図面の簡単な説明】
【００２１】
【図１】第１の実施の形態における画像表示装置１００の斜視図である。
【図２】第１の実施の形態における画像表示装置１００の脚部および載置台を示す斜視図である。
【図３】第１の実施の形態における脚部２０および載置台３０の構成を示す分解斜視図である。
【図４】脚部２０および載置台３０の断面図である。
【図５】脚部２０の斜視図である。
【図６】脚部２０の斜視図である。
【図７】ベース部材３２の斜視図である。
【図８】ベース部材３２の斜視図である。
【図９】薄板３６の斜視図である。
【図１０】薄板３６の斜視図である。
【図１１】薄板３８の斜視図である。
【図１２】座金部材４０の斜視図である。
【図１３】座金部材４０の斜視図である。
【符号の説明】
【００２２】
１０……画像表示部、２０……脚部、２６０２……取り付け面、２６０４……環状面、３０……載置台、３２……ベース部材、３２０２……支持壁、３２０４……貫通孔、４０……座金部材、４２……第１のばね片、４４……第２のばね片、１００……画像表示装置。
【図１】
0004770305.tif 000002
【図２】
0004770305.tif 000003
【図３】
0004770305.tif 000004
【図４】
0004770305.tif 000005
【図５】
0004770305.tif 000006
【図６】
0004770305.tif 000007
【図７】
0004770305.tif 000008
【図８】
0004770305.tif 000009
【図９】
0004770305.tif 000010
【図１０】
0004770305.tif 000011
【図１１】
0004770305.tif 000012
【図１２】
0004770305.tif 000013
【図１３】
0004770305.tif 000014